(57)【要約】【課題】画像記憶部にデータがないと電位制御による高圧設定及びレーザー出力値設定動作を行って、記憶部にバックアップされた電位制御値を更新/設定することにより、高速立ち上げ、かつ高画質を実現する。【解決手段】画像記憶手段に画像が蓄積されている場合には、電源スイッチが投入された直後の像担持体表面電位に基づく制御値は、記憶部の制御値を読み込み、この制御値に基づいて定まる所定値に高電圧発生手段の出力を設定すること、及び光書込手段の出力を設定する。【選択図】  図１
2005164923.tif 000002
【特許請求の範囲】
【請求項１】
像担持体の表面を一様に帯電する帯電手段と、原稿の反射光又は透過光から得られるコピー動作モード用の画像データ、あるいは外部機器から入力されるプリンタ動作モード用の画像データを光信号に変換し、前記帯電手段によって帯電された前記像担持体の表面に光書き込みを行なって静電潜像を形成させる光量可変な光書込手段と、前記光書込手段手段によって順次前記像担持体に形成された静電潜像の表面電位を検出する表面電位検出手段と、前記表面電位検出手段の情報に基づいて前記像担持体の表面電位を所定値に制御する制御手段と、前記制御手段の制御値を記憶する記憶部と、高電圧発生手段と、電源投入スイッチと、画像記憶手段とを備えてなる画像形成装置において、
画像記憶手段に画像が蓄積されている場合には、前記電源スイッチが投入された直後の前記像担持体表面電位に基づく制御値は、前記記憶部の制御値を読み込み、前記制御値に基づいて定まる所定値に前記高電圧発生手段の出力を設定すること、及び前記光書込手段の出力を設定することを特徴とする画像形成装置。
【請求項２】
前記請求項１に記載の画像形成装置であり、前記画像記憶手段に画像が蓄積されていない時は、前記電源スイッチが投入された直後に、前記像担持体の表面電位を検出する表面電位検出動作を行い、前記記憶部の像担持体表面電位に基づく制御値を更新して、前記制御値に基づいて定まる所定値に前記高電圧発生手段の出力を設定し、スタンバイに移行することを特徴とする画像形成装置。
【請求項３】
前記請求項１に記載の画像形成装置であり、画像形成装置の設置環境を検知する環境温湿度検知手段とを有し、予め設定されている温湿度補正テーブルにより、前記記憶部の感光体表面電位に基づく制御値を補正した制御値を生成することを特徴とする画像形成装置。
【請求項４】
像担持体の表面を一様に帯電する帯電手段と、原稿の反射光又は透過光から得られるコピー動作モード用の画像データ、あるいは外部機器から入力されるプリンタ動作モード用の画像データを光信号に変換し、前記帯電手段によって帯電された前記像担持体の表面に光書き込みを行なって静電潜像を形成させる光量可変な光書込手段と、前記手段によって順次前記像担持体に形成された静電潜像の表面電位を検出する表面電位検出手段と、前記表面電位検出手段の情報に基づいて前記像担持体の表面電位を所定値に制御する制御手段と、前記制御手段の制御値を記憶する記憶部と、高電圧発生手段と、電源投入スイッチと、画像記憶手段とを備えてなる画像形成装置において、
画像形成動作完了後の後回転で、前記像担持体の表面電位を検出する表面電位検出動作を行なうと共に、前記記憶部の像担持体表面電位に基づく制御値を更新して、前記制御値に基づいて定まる所定値に前記高電圧発生手段の出力を設定すること、及び前記光書込手段の出力を設定することを特徴とする画像形成装置。
【請求項５】
前記請求項１および４に記載の画像形成装置であり、所定のカウンタ値毎に前記記憶部の前記像担持体表面電位に基づく制御値を更新することを特徴とする画像形成装置。
【請求項６】
前記請求項１および４に記載の画像形成装置であり、所定の時間経過毎に前記記憶部の前記像担持体表面電位に基づく制御値を更新することを特徴とする画像形成装置。
【請求項７】
前記請求項１および４に記載の画像形成装置であり、定着器と定着温度検知手段を有して、前記電源スイッチが投入された直後に前記定着温度検知手段が所定の温度以下であれば、前記像担持体の表面電位を検出する表面電位検出動作を行った後に、前記記憶部の像担持体表面電位に基づく制御値を更新して、前記制御値に基づいて定まる所定値に前記高電圧発生手段の出力を設定すること、及び前記光書込手段の出力を設定することを特徴とする画像形成装置。
【請求項８】
前記画像形成装置への前記画像データがコピー動作モード用の画像データ、あるいは外部機器から入力されるプリンタ動作モード用の画像データであるかにより、前記制御値を変更する変更手段とを備えていることを特徴とする画像形成装置。
【発明の詳細な説明】
【技術分野】
【０００１】
本発明は、具備している画像入力装置で得られる原稿の画像データのみならず、外部機器から入力する画像データに基づいても画像形成をすることができる電子写真方式の画像形成装置に関する。
【背景技術】
【０００２】
従来の複写機の立ち上げ動作について、説明する。
【０００３】
電源投入時には、まず定着器に通電を行ない、ウォームアップ動作に入る。ウォームアップに要する時間は、高速機になるほど熱容量が大きく所定の温度に達するまで時間がかかる。特にオフィス環境における朝の電源投入時には、定着装置が充分に冷え切っている為、複写機を立ち上げた場合ウォームアップが完了するまでの待ち時間が多くなる。例えば中速機であれば1分〜２分、高速機であれば５分程度かかる。
【０００４】
通常、ウォームアップ中に種々のイニシャライズ動作を行なう。定着器は、定着ローラーを回転させ、ローラー表面温度が均等になるようになじませる。搬送モーターは、センサ間に滞留紙がないかどうか所定時間動作させる。また、他のモーターに関してもロック状態等、回転/動作を阻害する異常がないかどうか、動作させる。
【０００５】
また、像担持体に長寿命化に優れたアモルファスシリコンを用いた画像形成装置では、アモルファスシリコンが、温度や湿度、または耐久により特性変化を生じる為、所定の電位になるように電位制御動作を行なう。
【０００６】
所定の電圧を、アモルファスシリコンドラムに印加し、一様に帯電させる。その後電位測定センサーによる電位測定を行い、適切な帯電が行なわれるように高圧出力値を決定する。その後静電潜像を形成させるレーザーないし、ハロゲンランプによる照射を行い電位測定センサーによる電位測定を行い、適切な表面電位となるように光量を設定する。前述の帯電値ないしレーザー光量を調節することにより、品質の高い画像出力が得られるように制御される。こうした一連のイニシャル動作が全て完了し、ウォームアップが終わった時点で、コピー動作可能であるスタンバイへと移行する。
【０００７】
本体以外では、フィニッシャーやソーター等の後処理手段は、トレイの位置を初期位置に戻す動作を開始する。これらの動作は定着器が冷え切った場合では、全てウォームアップ時間よりは充分早いので、ウォームアップ完了前に初期動作を完了する。原稿読取装置、ないし自動原稿読み取り手段であるドキュメントフィーダー（以下ＤＦとする）も初期動作は速く、ディジタル機で、画像メモリーを有するものでは、ウォームアップ後すぐに出力が得られるよう、DFの初期化完了後は、ウォームアップ中でも読み取り動作が可能であり、読み取られた画像は、ウォームアップが完了するまでハードディスク等の画像記憶部に蓄積されることで、ユーザーはいち早く出力を得られるようになっている。
【０００８】
前記従来の画像形成装置にあって、例えばオフィス環境における朝の電源投入時には、定着装置が充分に冷え切っている為、複写機を立ち上げた場合ウォームアップが完了するまでの待ち時間が多くなってしまうという問題が発生する。
【０００９】
また、近年、省エネルギーの観点から、節電モード、スリープモードといった、一定時間使われていないと自動的に電源が切れてしまう機能が搭載され、使用頻度も高くなっている。このような機能は、省エネルギーの観点から非常に有効では有るが、いざ使おうとするときに、なかなか使用できないという使い勝手の悪さを併せ持つ。
【００１０】
例えば、ファーストコピー４秒を謳う装置であっても、自動的に電源が切れていて、使用者が複写機を立ち上げて、更に５分も待たされるような状態では非常に使い勝手が悪い。
【００１１】
従って、電源投入時に定着装置が急速に立ち上がるだけの電力を投入すれば良いが、特に日本国内での一般配線の許容値である1500Ｗに抑える必要があるために、上限は機器のシステム構成により決まってしまう。
【００１２】
また、画像形成装置は、出力画像の品質は環境条件によるところが非常に大きく、画像を安定させる為に、カセットヒーターやドラムヒーターが必要となり、その配分も定着電力を低減せざるを得ない理由となる。感光ドラム表面の温度を一定にするドラムヒーターや、結露防止を目的とするレンズヒーター、紙の吸湿を防ぎ搬送制を安定させるカセットヒーターなど複数の環境ヒーターが装着された場合、例えばドラムヒーター80Ｗ、レンズヒーター20Ｗ、カセットヒーターが、更にオプションも加え複数個使いになると60Ｗとなり、合計で160Ｗにも及ぶ計算になる。よって1500Ｗに抑える為には、1340Ｗがシステム全体として許容される上限の消費電力となってしまう。
【００１３】
通常、1500Ｗに抑える為には、DC電源分の600W程度を差し引くと800〜900Wがヒーターへの配分になり、そのうちの160Wであると、実に２割に上ることになる。
【００１４】
この解決手段として、例えば、ピーク時の消費電流の低減を図るために定着ヒーターに通電している時には、カセットヒーターへの通電を中断すると言った制御を行なう複写装置が知られている(特許文献1参照)。
【００１５】
この公報では、定着ヒーターやオイルヒーターが加熱駆動されているときにはカセットヒーターや、ドラムヒーターを中断する制御を行なう。このような構成にする事によって消費電力を押さえた複写装置にすることが出来る。
【００１６】
こうした構成により、1500Wに収めつつも定着に供給する電力を増やし、高速に立ち上げる画像形成装置が提案されつつある。
【特許文献１】特開2002-148996号公報
【発明の開示】
【発明が解決しようとする課題】
【００１７】
しかしながら、前述した像担持体にアモルファスシリコンを用いたものでは、アモルファスシリコンが、温度や湿度、または耐久により特性変化を生じる為、所定の電位になるように電位制御動作を行なわなければならない。
【００１８】
従来のような立ち上げに５分程度のものであれば、電位制御動作が１分かかってもコピー動作可能までの待ち時間に影響はないが、前述した高速に立ち上げる画像形成装置の提案により、立ち上げに１分程度の物であれば、電位制御動作が１分かかってしまっては、使い勝手がわるく、高速に立ち上げる為の足かせになっていた。
【課題を解決するための手段】
【００１９】
上記の課題に対し、本発明は、像担持体の表面を一様に帯電する帯電手段と、原稿の反射光又は透過光から得られるコピー動作モード用の画像データ、あるいは外部機器から入力されるプリンタ動作モード用の画像データを光信号に変換し、前記帯電手段によって帯電された前記像担持体の表面に光書き込みを行なって静電潜像を形成させる光量可変な光書込手段と、前記光書込手段手段によって順次前記像担持体に形成された静電潜像の表面電位を検出する表面電位検出手段と、前記表面電位検出手段の情報に基づいて前記像担持体の表面電位を所定値に制御する制御手段と、前記制御手段の制御値を記憶する記憶部と、高電圧発生手段と、電源投入スイッチと、画像記憶手段とを備えてなる画像形成装置において、画像記憶手段に画像が蓄積されている場合には、前記電源スイッチが投入された直後の前記像担持体表面電位に基づく制御値は、前記記憶部の制御値を読み込み、前記制御値に基づいて定まる所定値に前記高電圧発生手段の出力を設定すること、及び前記光書込手段の出力を設定することを特徴とする画像形成装置であって、電源投入後、予約コピーやネットワークを介したデータの受信により、画像記憶部にデータが存在しウォームアップ待ち状態であるときには、電位制御による高圧設定及びレーザー出力値設定動作を行なわず、記憶部にバックアップされた電位制御値を読み込み、その値を設定することで、高速に立ち上げることを可能とするものである。
【００２０】
また、前記画像記憶手段に画像が蓄積されていない時は、前記電源スイッチが投入された直後に、前記像担持体の表面電位を検出する表面電位検出動作を行い、前記記憶部の像担持体表面電位に基づく制御値を更新して、前記制御値に基づいて定まる所定値に前記高電圧発生手段の出力を設定し、スタンバイに移行することを特徴とする画像形成装置であって、画像記憶部にデータがないときは電位制御による高圧設定及びレーザー出力値設定動作を行い、記憶部にバックアップされた電位制御値を更新/設定するものであり、高速立ち上げ、かつ高画質を実現するものである。
また、画像形成装置の設置環境を検知する環境温湿度検知手段とを有し、予め設定されている温湿度補正テーブルにより、前記記憶部の感光体表面電位に基づく制御値を補正した制御値を生成することを特徴とする画像形成装置である。
【００２１】
また、画像形成動作完了後の後回転で、前記像担持体の表面電位を検出する表面電位検出動作を行なうと共に、前記記憶部の像担持体表面電位に基づく制御値を更新して、前記制御値に基づいて定まる所定値に前記高電圧発生手段の出力を設定すること、及び前記光書込手段の出力を設定することを特徴とする画像形成装置であって、記憶部にバックアップされた電位制御値を常に最新の状態に合うように、ユーザーが所望の出力を得た後に電位制御動作を行いバックアップ値を更新するものである。
【００２２】
また、所定のカウンタ値毎に前記記憶部の前記像担持体表面電位に基づく制御値を更新することを特徴とする画像形成装置である。
【００２３】
また、所定の時間経過毎に前記記憶部の前記像担持体表面電位に基づく制御値を更新することを特徴とする画像形成装置である。
【００２４】
また、定着器と定着温度検知手段を有して、前記電源スイッチが投入された直後に前記定着温度検知手段が所定の温度以下であれば、前記像担持体の表面電位を検出する表面電位検出動作を行った後に、前記記憶部の像担持体表面電位に基づく制御値を更新して、前記制御値に基づいて定まる所定値に前記高電圧発生手段の出力を設定すること、及び前記光書込手段の出力を設定することを特徴とする画像形成装置であって、充分冷え切った状態では、ウォームアップ自体に時間を要するため、電位制御による高圧設定及びレーザー出力値設定動作を行い、記憶部にバックアップされた電位制御値を更新/設定するものである。
【００２５】
また、前記画像形成装置への前記画像データがコピー動作モード用の画像データ、あるいは外部機器から入力されるプリンタ動作モード用の画像データであるかにより、前記制御値を変更する変更手段とを備えていることを特徴とする画像形成装置であって、コピー/プリンタで異なる制御値とすることで、最適な出力をえられるようにしたものである。
【発明の効果】
【００２６】
本発明の画像形成装置は、電源投入後、予約コピーやネットワークを介したデータの受信により、画像記憶部にデータが存在しウォームアップ待ち状態であるときには、電位制御による高圧設定及びレーザー出力値設定動作を行なわず、記憶部にバックアップされた電位制御値を読み込み、その値を設定するものである。
【００２７】
また、前記画像記憶手段に画像が蓄積されていない時は、前記電源スイッチが投入された直後に、前記像担持体の表面電位を検出する表面電位検出動作を行う。
【００２８】
また、画像形成装置の設置環境を検知する環境温湿度検知手段とを有し、予め設定されている温湿度補正テーブルにより、前記記憶部の感光体表面電位に基づく制御値を補正した制御値を生成する。
【００２９】
また、画像形成動作完了後の後回転で、表面電位検出動作を行い、記憶部にバックアップされた電位制御値を常に最新の状態に合うように、ユーザーが所望の出力を得た後に電位制御動作を行いバックアップ値を更新するものである。
【００３０】
また、前記更新は、所定のカウンタ値毎、また、所定の時間経過毎に前記記憶部の前記像担持体表面電位に基づく制御値を更新する。
【００３１】
また、電源スイッチが投入された直後に定着温度検知手段が所定の温度以下であれば、充分冷え切った状態では、ウォームアップ自体に時間を要するため、電位制御による高圧設定及びレーザー出力値設定動作を行い、記憶部にバックアップされた電位制御値を更新/設定するものである。
【００３２】
また、前記画像形成装置への前記画像データがコピー動作モード用の画像データ、あるいは外部機器から入力されるプリンタ動作モード用の画像データであるかにより、前記制御値を変更し、コピー／プリンタで異なる制御値とすることで、最適な出力をえられるようにしたものである。
【００３３】
これらの制御により、ユーザーが全く意識することなく、常に高画質を保ちながら、ユーザーの待ち時間を大幅に削減するものである。
【発明を実施するための最良の形態】
【００３４】
（実施例１）
以下に本発明の実施例を、図面を参照しながら詳細に説明する。
【００３５】
図１は、この発明の画像形成装置が適用された実施例の内部構成図である。この画像処理装置は、記録紙に原稿画像を載せ出力する装置である本体画像出力部10と、原稿から画像データを読み取る装置である本体画像入力部11と、本体画像入力部11の上部に装着されたＤＦ12と、本体画像出力部10から排出されるコピー記録媒体を複数のビンに仕分けして排出するためのソータ13とを備えている。
【００３６】
この画像形成装置はディジタル複写機であり、原稿から画像データを読み取る装置である本体画像入力部11のCCDにより画素化され画像データとして装置に読み込まれ、必要な画像処理が行われた後、画像メモリに蓄えられる。その画像データを本体画像出力部10に転送し、画像再生して記録紙にコピーされる。
【００３７】
本体画像入力部11は、入力部の上面の原稿台に積載された原稿を照射しながら走査する光源21を備える。光源21は図外の光学系モータから駆動力を得て、図１の左右方向に往復駆動する。光源21から発生した光は、積載された原稿により反射され、光学像が得られる。その光学像をミラー22，23，24及びレンズ25を介してＣＣＤ26に伝送される。またミラー22，23，24は光源21と一体的に駆動される。ＣＣＤ26は光を電気信号に変換する素子により構成されており、この素子の働きにより伝送されてきた、光学像が電気信号に変換され、さらにディジタル信号（画像データ）に変換される。
【００３８】
読み込まれた原稿の画像データは、種々の補正処理とユーザの希望する処理による画像処理が加えられ、画像メモリ(図外)に蓄積される。
【００３９】
本体画像出力部10は画像メモリに蓄積された画像データを読み出し、ディジタル信号からアナログ信号に再変換し、さらに露光制御部(図外)により適正な出力値に増幅され、光学照射部27により光信号に変換される。その光信号はスキャナー28、レンズ29及びミラー30を伝播して、感光ドラム31上に照射され静電による潜像が形成される。この潜像はトナーにより画像を形成し、本体内を搬送されてくる記録紙上に転写され、さらに定着ローラ32により記録記録媒体上にトナーが定着され、画像データが記録され、ソータ13に送られる。
【００４０】
ソータ13は本体画像出力部10の左側に設置されている装置であり、本体画像出力部10から出力された記録紙を排紙トレイ33に仕分けして排紙する処理を行う。排紙トレイは上記本体制御部(図外)により制御され、出力された記録紙紙は制御部の指示した任意の排紙トレイに排出される。
【００４１】
給紙トレイ34，35は本体下部にあり、記録紙をある程度蓄積しておくことが可能である。制御部により、給紙トレイ34，35から蓄積された記録紙を搬送し画像出力を行う。給紙デッキ36は本体画像出力部10の左側に設置されている装置で、記録紙を大量に蓄積しておくことが可能である。給紙トレイ34，35と同様に制御部により蓄積された記録紙を搬送し画像出力を行う。
【００４２】
本体画像出力部10の左側に、操作者が少数の任意種類のコピー記録媒体を比較的容易に給紙することが可能となる手差しトレイ37が設置されている。またこの手差しトレイは、ＯＨＰシートや厚紙、はがきサイズ紙など特殊な記録記録媒体を使用する場合にも使用される。
【００４３】
給紙ローラ38，39，40，41，42は紙搬送ローラであり、各ローラはコピー出力処理の給紙を行う際、記録紙を実際に搬送する役割を担っている。各給紙ローラはそれぞれ独立に駆動源としてステッピングモータに歯車等の伝達装置を介して接続されている。
【００４４】
ここで、DCブラシレスモータで制御される、潜像が形成するための感光ドラム31と、記録記録媒体上にトナーを定着し、画像データを記録するための定着ローラ32の回転速度はプロセススピードと呼ばれ、トナーの形状や定着特性、レーザの発光特性などに大きく左右され、各画像形成装置特有の速度となっているので可変制御することは困難である。よって、厚紙が搬送されるのに十二分なトルクを出力できるモータが選択されている。それに対し、給紙ローラや搬送ローラは記録媒体を給紙および搬送動作のみを行っており、前記定着ローラと感光ドラムのいずれかに紙が挟まっていない場合は高速搬送や高速給紙など出来るだけ高速に駆動し、紙と紙の間の距離を出来るだけ短く制御することで、画像形成装置としてのプロダクティビティを向上させるようになっている。
【００４５】
図２は前記画像形成動作における、感光ドラム31/光学照射部27に関わる構成の詳細を示したものである。
【００４６】
感光ドラム31は時計回りに回転するものとして、前露光301から下流に302が帯電装置、303が電位測定センサー、304が現像器、305は、転写材に感光体31のトナーを転写する転写装置、306は感光体31に残ったトナーを清掃するクリーナーである。
【００４７】
基本的な電位制御動作は、まず感光体３１が回転動作を開始すると301が前露光を行ない、感光体表面電位を所定の量に落とす。その下流で帯電を行い、感光体が所定の最大電位になるように、一様に帯電する。そして303にて帯電量を測定する。ここで、所定の値でなければ、もう1回転し、302の出力を変えて再び一様に帯電する。そして303にて帯電量を測定する。この繰り返しを行い感光体302の出力値を決定する。
【００４８】
続いて、302で帯電した後に、光学照射部27で所定の照射を行い、照射部の電位を303にて帯電量を測定する。ここで、前述の帯電装置と同様に電位が所定の値になるように光学照射部27の出力値を変更する。
【００４９】
図３のフローチャートを用いて動作を説明する。
【００５０】
1001で電源をONすると1011にてウォームアップを開始する。その後に1021にて予約コピーが設定されているかどうか判断する。予約コピーがなされようとしていれば、1061に進み画像の読み込みが行なわれ、1071にて画像記憶部に画像データが格納される。同様に、1031にてネットワークを介してプリントデータが受信されているようであれば画像記憶部に画像データが格納される。予約コピーもプリントデータの受信もなされていなければ1041に進み電位制御動作を行い、1051においてウォームアップも完了していればスタンバイに移行する。
【００５１】
一方、画像記憶部に格納されている状態であれば、1081においてバックアップ値を読み込み、所定の高圧出力とレーザー出力値に設定して電位制御動作を行わずに設定を完了する。
【００５２】
この場合には、ウォームアップが完了次第、プリントアウトのジョブが開始され、1111において出力が終わると、そのまま引き続き1121において、電位制御動作を行なう。この場合の電位制御動作は予めバックアップ値を用いているので、微調整程度で済む為、場かなりの短時間で終了する。その後スタンバイに移行する。
【００５３】
次に図４を用いてバックアップ値の生成について説明する。
【００５４】
スタンバイ状態において、1211でスタートキーが入力ないしはプリントデータの受信を開始すると、ジョブを開始する。ジョブが完了した時点で、カウンタ値Ncを確認する。耐久劣化による性能変動は、材質により異なる為予め実験等により所定の値ａを設定しておく。そしてカウンタ値Ncがａより大きくなっていたらジョブ後の後回転で電位制御動作を行い、バックアップ値を更新する。Aを越えてなければそのままスタンバイに移行する。
【００５５】
図５はカウンタ値でなく計時手段により電位制御動作を行うか否か判断するものである。特にアモルファスシリコン等を使ったものでは、放置状態でも特性が変わるため、例えば、まれにしかコピー機が使われないような状態であっても、最後に電位制御を行なってからの時間Twが、所定時間ｂが経過した後のジョブ完了後には必ず電位制御動作が入るため、最適な状態を保つことができる。
【００５６】
（実施例２）
本実施例の構成は実施例１と同じであり、図６のフローチャートを用いて動作を説明する。
【００５７】
1301で電源をONすると1311にてウォームアップを開始する。その後に1321にて予約コピーが設定されているかどうか判断する。予約コピーがなされようとしていれば、1361に進み画像の読み込みが行なわれ、1371にて画像記憶部に画像データが格納される。同様に、1331にてネットワークを介してプリントデータが受信されているようであれば画像記憶部に画像データが格納される。予約コピーもプリントデータの受信もなされていなければ1341に進み電位制御動作を行い、1351においてウォームアップも完了していればスタンバイに移行する。
【００５８】
一方、画像記憶部に格納されている状態であれば、1381においてバックアップ値を読み込み、1391において環境温湿度を読み込む。そして、1401において補正を行なう。
【００５９】
この補正は予め持っているテーブルを参照して行なう。通常の環境20℃〜25℃/40％〜50％を補正値０とした場合、10℃以下の低温環境や30℃以上の高温環境、10％近い低湿や90％以上の高湿等、温湿度条件により、テーブルにより定まる割合で帯電量の増減を行なったり、レーザー出力の増減を行なう。そして所定の高圧出力とレーザー出力値に設定して電位制御動作を行わずに設定を完了する。
【００６０】
1411にてウォームアップが完了次第、プリントアウトのジョブが開始され、1431において出力が終わると、そのまま引き続き1441において、電位制御動作を行なう。この場合の電位制御動作は予めバックアップ値に補正をかけているので、微調整程度で済む為、場合によってはターゲットと一致しかなりの短時間で終了する。1451にてスタンバイに移行する。
【００６１】
（実施例３）
本実施例の構成は実施例１と同じであり、図７のフローチャートを用いて動作を説明する。
【００６２】
1501で電源をONすると1511にてウォームアップを開始する。その後に1521にて定着ローラーの温度Ttが、所定値ｃ以下かどうか判断する。この値は
ウォームアップ時間＞電位制御時間
となる温度が望ましい。
【００６３】
例えば通常環境（20℃）で、ウォームアップ時間＜電位制御時間の関係であるとする。電源投入時に定着ローラーの温度が5℃であると認識すると、少なくとも環境温度も5℃以下であり、機内温度も充分に冷えている。この場合には、ローラー熱の放熱効果が大きくなり、ウォームアップ時間が飛躍的に長くなる可能性があり、その場合には上記式、ウォームアップ時間＞電位制御時間、が成り立つ。
【００６４】
この場合には、電位制御動作が高速立ち上げを阻害する要因となりえないため、1531に進み電位制御動作を行い、1541においてウォームアップも完了していればスタンバイに移行する。
【００６５】
一方、定着ローラーの温度Ttが、所定値ｃ以上であれば、前述の説明によるｃの設定がなされたとすれば、ウォームアップ時間＜電位制御時間、という関係になってしまい電位制御動作が高速立ち上げを阻害する要因となってしまう為、1571においてバックアップ値を読み込み所定の高圧出力とレーザー出力値に設定して電位制御動作を行わずに設定を完了する。
【００６６】
この場合には、ウォームアップが完了次第、プリントアウトのジョブが開始され、1601において出力が終わると、そのまま引き続き1611において、電位制御動作を行なう。この場合の電位制御動作は予めバックアップ値を用いているので、微調整程度で済む為、場かなりの短時間で終了する。その後スタンバイに移行する。
【図面の簡単な説明】
【００６７】
【図１】本発明に用いられる画像形成装置の主要部の詳細図。
【図２】本発明に用いられる感光体周辺の詳細図。
【図３】本発明の実施例１のフローチャート。
【図４】本発明の実施例１のフローチャート。
【図５】本発明の実施例１のフローチャート。
【図６】本発明の実施例２のフローチャート。
【図７】本発明の実施例３のフローチャート。
【符号の説明】
【００６８】
３１  感光ドラム
３２  定着ユニット
３０２  帯電装置
３０３  電位センサー
【図１】
2005164923.tif 000003
【図２】
2005164923.tif 000004
【図３】
2005164923.tif 000005
【図４】
2005164923.tif 000006
【図５】
2005164923.tif 000007
【図６】
2005164923.tif 000008
【図７】
2005164923.tif 000009